【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】  ユーザインタフェース(26)上で、スクロール可能な交差部分の検索を行うための方法であって、２つのスクロール可能なバー(32、34)が設けられ、２つのバーの各々が、ユーザインタフェース(26)上の両バー(32、34)の交差部分であるフォーカスエリア(30)へスクロールされると重なり合う少なくとも１つのオブジェクトフィールド(A、B、C、…、F0、F1、F2、…)を有し、２つのバーのうち一方(34)のオブジェクトフィールド(F0、F1、F2、…)が、フォーカスエリア(30)にある他方のバー(32)のオブジェクトフィールド(F)に従属するものであり、両バーの交差部分であるフォーカスエリア(30)内の２つのオブジェクトフィールド(F、F0)が組み合わされ、２つのオブジェクトフィールド（F、F0)の組合せが確認動作により選択される、方法。
【請求項２】  前記従属するオブジェクトフィールド(F0、F1、F2、…)に更に従属するオブジェクトフィールド(F2:0、F2:1、F2:2、…)が設けられる、請求項１に記載の方法。
【請求項３】  可視的な、但し互いに周期的に結合された両バー内では部分的に非可視的なオブジェクトフィールドが存在する、請求項１又は２に記載の方法。
【請求項４】  オブジェクトをフォーカス(30)へ移動させるため、上、下、左、右への移動によりスクローリングが行われる、請求項１乃至３に記載の方法。
【請求項５】  情報フィールド(36)がユーザインタフェース上に表示され、前記情報フィールド(36)がフォーカスエリア(30)に関連する特徴を示すテキストを含む、請求項１乃至４に記載の方法。
【請求項６】  前記フォーカスエリアがマーキングされている、請求項１乃至５に記載の方法。
【請求項７】  前記バーが小さいために、バー(32、34)が可視状態にあるときでも画面上の画像表示が可能である、請求項１乃至６に記載の方法。
【請求項８】  前記バーが可視的に透明である、請求項１乃至７に記載の方法。
【請求項９】  フォーカス(30)が確認されると、前記バー(32)のうちの１つのオブジェクトフィールド(F2:0乃至F2:5)に、バーのオブジェクトフィールド(A乃至G；F0乃至F5)内の特徴が順に表示される、請求項１乃至８に記載の方法。
【請求項１０】  前記確認動作及びスクロール動作が、５つの機能コマンドのうち１つを実行することで行われる、請求項１乃至９に記載の方法。
【請求項１１】  前記フォーカスエリア(30)において、機能コマンドを通じて交差部分を検索することにより導かれる、あらゆる機器の全ての機能を表示することが可能である、請求項１０に記載の方法。
【請求項１２】  ユーザインタフェース(26)上で、スクロールされた交差部分の検索を行うための構成(10)であって、２つのスクロール可能なバー(32、34)を含み、２つのバーの各々が、ユーザインタフェース(26)上の両バー(32、34)の交差部分であるフォーカスエリア(30)へスクロールされると重なり合う少なくとも１つのオブジェクトフィールド(A、B、C、…、F0、F1、F2、…)を有し、２つのバーのうち一方(34)のオブジェクトフィールド(F0、F1、F2、…)が、フォーカスエリア(30)にある他方のバー(32)のオブジェクトフィールド(F)に従属するものであり、両バーの交差部分であるフォーカスエリア(30)において２つのオブジェクトフィールド(F、F0)を組み合わせるためのオブジェクトフィールド手段(14、16、22)と、２つのオブジェクトフィールド(F、F0)の組合せを選択するための入力手段(24)とを更に含む、構成。
【請求項１３】  前記オブジェクトフィールド手段が、前記入力デバイス(24)と、バー(32、34)を形成し、該バーにより機能的特徴及び有限特徴を構成するグラフィックライブラリ(14)に接続されたグラフィックジェネレータ(16)との間の対話インタプリタ(22)である、請求項１２に記載の構成。
【請求項１４】  前記オブジェクトフィールド手段が、前記グラフィックジェネレータ(16)に接続されたコンテンツデータベース(20)と、前記ライブラリ(14)及び前記ジェネレータ(16)に接続されたユーザインタフェース・オブジェクトデータベース(12)とを更に含む、請求項１３に記載の構成。
【請求項１５】  前記従属するオブジェクトフィールド(F0、F1、F2、…)に更に従属するオブジェクトフィールド(F2:0、F2:1、F2:2、…)が設けられる、請求項１２乃至１４に記載の構成。
【請求項１６】  可視的な、但し互いに周期的に結合された両バー内では部分的に非可視的なオブジェクトフィールドが存在する、請求項１２乃至１４に記載の構成。
【請求項１７】  オブジェクトをフォーカス(30)へ移動させるため、上、下、左、右への移動によりスクローリングが行われる、請求項１２乃至１６に記載の構成。
【請求項１８】  情報フィールド(36)がユーザインタフェース上に表示され、前記情報フィールド(36)がフォーカスエリア(30)に関連する特徴を示すテキストを含む、請求項１２乃至１７に記載の構成。
【請求項１９】  前記フォーカスエリアがマーキングされている、請求項１２乃至１７に記載の構成。
【請求項２０】  前記バーが小さいために、バー(32、34)が可視状態にあるときでも画面上の画像表示が可能である、請求項１２乃至１９に記載の構成。
【請求項２１】  前記バーが可視的に透明である、請求項１２乃至２０に記載の構成。
【請求項２２】  フォーカス(30)が確認されると、前記バー(32)のうちの１つのオブジェクトフィールド(F2:0乃至F2:5)に、バーのオブジェクトフィールド内の特徴が順に表示される、請求項１２乃至２１に記載の構成。
【請求項２３】  前記確認動作及びスクロール動作が、５つの機能コマンドのうち１つを実行することで行われる、請求項１２乃至２２に記載の構成。
【請求項２４】  前記フォーカスエリア(30)において、機能コマンドを通じて交差部分を検索することにより導かれる、あらゆる機器の全ての機能を表示することが可能である、請求項２３に記載の構成。
【請求項２５】  セット・トップ・ボックスに含まれている、請求項１２乃至２４の構成。
【請求項２６】  電子機器のディスプレイに情報を表示するための方法であって、表示される情報は多数の項目(F、…、F1、F2、…)に分割され、電子機器のディスプレイ上にフォーカスエリア(30)が設けられ、前記項目は１つ又はそれより多くの階層レベルに配列され、１つのレベルの１つ又はそれより多くの項目(F1、F2)は次の上位レベルの項目(F)とリンクされており、２つの隣接するレベルの２つのリンクされた項目(F+F2)の組合せが前記フォーカスエリア(30)に表示される、方法。
【請求項２７】  少なくとも２つのキーを備える入力デバイスが設けられ、前記２つのキーのうちいずれかを用いて前記フォーカスエリア内の項目の組合せを所与のレベルから次の下位レベルへ変更することができ、更に同じキーによりこの下位レベルの項目間で変更を行うことができる、請求項２６に記載の方法。
【請求項２８】  ２つのキーのうち他方を用いてフォーカスエリア内の項目の組合せを更に下位レベルの項目へ変更することができる、請求項２７に記載の方法。
【請求項２９】  電子機器のディスプレイ上に追加項目を表示するための追加エリアが設けられ、前記フォーカスエリア及び追加エリアが縦バー及び横バーとして表示される、請求項２６乃至２８のいずれかに記載の方法。
【請求項３０】  縦バーの追加エリアに表示される項目が、横バーの追加エリアに表示される項目より１つ上位又は下位レベルに属する、請求項２９に記載の方法。
【請求項３１】  フォーカスエリアを含む縦バーの項目と、フォーカスエリアを含む横バーの項目とが両方向へ移動され得る、請求項２９又は３０に記載の方法。
【請求項３２】  前記入力デバイスが、縦バーを上下方向へ、横バーを左右方向へ移動するための２つのキーを備える、請求項３１に記載の方法。
【請求項３３】  前記入力デバイスが、フォーカスエリア内に表示された項目を選択するための確認キーを備える、請求項２６乃至３２のいずれかに記載の方法。
【請求項３４】  コンピュータで読出し可能な記憶媒体に記憶されるコンピュータプログラムであって、該コンピュータプログラムは、複数の項目に分割された情報を記憶する手順であって、前記項目の各々は複数のレベルを有し、該複数のレベルのうちの１つの項目のデータは、次に高いレベルの項目のデータとリンクされている、手順と、ユーザの入力に応答して、１つのレベルの項目と次に低いレベルの項目を、ディスプレイ上の所定の領域に表示する手順と、ユーザの他の入力に応答して、表示された項目を他のレベルの項目と次に低いレベルの項目に変更する手順と、を含むコンピュータプログラム。
【請求項３５】  デジタルコンピュータの内部メモリに直接ロードすることができ、
複数の項目に分割された情報を記憶する手順であって、前記項目の各々は複数のレベルを有し、該複数のレベルのうちの１つの項目のデータは、次に高いレベルの項目のデータとリンクされている、手順と、ユーザの入力に応答して、１つのレベルの項目と次に低いレベルの項目を、ディスプレイ上の所定の領域に表示する手順と、ユーザの他の入力に応答して、表示された項目を他のレベルの項目と次に低いレベルの項目に変更する手順と、を実施するためのコンピュータプログラムを含む、コンピュータプログラム製品。
【請求項３６】  情報を表示するためのディスプレイを備えた電子機器であって、表示される情報は多数の項目(F、…、F1、F2、…)に分割され、前記電子機器のディスプレイ上にフォーカスエリア(30)が設けられ、前記項目は１つ又はそれより多くの階層レベルに配列され、１つのレベルの１つ又はそれより多くの項目(F1、F2)は次の上位レベルの項目(F)とリンクされており、２つの隣接するレベルの２つのリンクされた項目(F+F2)の組合せを前記フォーカスエリア(30)に表示するための手段(14、16、22)を更に含む、電子機器。
【請求項３７】  少なくとも２つのキーを備える入力デバイスを更に含み、前記２つのキーのうちいずれかを用いて前記フォーカスエリア内の項目の組合せを所与のレベルから次の下位レベルへ変更することができ、更に同じキーによりこの下位レベルの項目間で変更を行うことができる、請求項３６に記載の電子機器。
【請求項３８】  ユーザインターフェースを有する装置を含む、請求項１２乃至２４に記載の構成。
【手続補正２】
【補正対象書類名】明細書
【補正対象項目名】００３６
【補正方法】変更
【補正の内容】
【００３６】
このような対話を行うことで、ユーザはキーボード又はキーパッドの右、左、上、下以外のキーを操作することなく、オブジェクトフィールドA乃至Gと、例えばオブジェクトフィールドF0乃至F5（図２参照）、A0乃至A５（図示せず）、D0乃至D５（図示せず）等の所望の組合せを検索することができる。次いで、ユーザはＯＫ、確認、選択等の操作キーやボタンを用いて、フォーカス３０内にある特徴の組合せを選択する。